(57)【要約】【課題】断層画像を撮影する際の作業効率の向上、および良好な断層画像の撮影を実現し得る電極装置を提供する。【解決手段】撮影対象体としての撮影対象者１００の胴部１０１の断層画像を撮影するときに胴部１０１についてのインピーダンスの測定に用いる電気信号を胴部１０１に対して入出力可能に構成され、胴部１０１に対して電気的に接続されて電気信号を入出力する複数の電極部２１ａ〜２１ｈと、各電極部２１ａ〜２１ｈを等間隔で整列した状態で連結する連結帯２２ａ〜２２ｈとを備えて、胴部１０１に巻き付けた状態で装着可能に構成されている。【選択図】図６
2010214045.tif 000002
【特許請求の範囲】
【請求項１】
撮影対象体の断層画像を撮影するときに当該撮影対象体についてのインピーダンスの測定に用いる電気信号を当該撮影対象体に対して入出力するための電極装置であって、
前記撮影対象体に対して電気的に接続されて前記電気信号を入出力する複数の電極部と、前記各電極部を等間隔で整列した状態で連結する連結帯とを備えて、前記撮影対象体に巻き付けた状態で装着可能に構成されている電極装置。
【請求項２】
前記連結帯は、前記各電極部が等間隔で整列している状態を維持しつつ当該間隔を変更可能に構成されている請求項１記載の電極装置。
【請求項３】
前記電極部は、前記連結帯に接続される基体部と、当該基体部から突出するようにして当該基体部に配設されると共にその突出長を変更可能に構成されて前記撮影対象体に接触させられて前記電気信号を入出力する導電性を有する電極本体とを備えて構成されている請求項１または２記載の電極装置。
【請求項４】
前記電極部は、前記電極本体の突出長を増加させるように当該電極本体を押し出す押し出し機構を備え、
前記押し出し機構は、気体の供給によって前記電極本体を押し出し可能に構成されている請求項３記載の電極装置。
【請求項５】
請求項１から４のいずれかに記載の電極装置と、前記撮影対象体に装着された当該電極装置を介して入出力した電気信号に基づいて当該撮影対象体のインピーダンスを測定する測定部と、当該測定部によって測定された前記インピーダンスに基づいて前記撮影対象体の断層画像を撮影する画像撮影部とを備えている断層画像撮影装置。
【発明の詳細な説明】
【技術分野】
【０００１】
本発明は、撮影対象体の断層画像を撮影する際の電気信号の入出力に用いる電極装置、およびその電極装置を備えた断層画像撮影装置に関するものである。
【背景技術】
【０００２】
疾病の有無や健康状態を診断するための生体情報を測定する際に人体に装着して、電気信号を入出力する電極として、特開２００８−６０９６号公報に開示された生体用電極が知られている。この生体用電極は、基材、取付部およびカバーを備えて構成されている。この生体用電極を用いて生体情報としての心電図を測定（描画）するときには、人体（被検者）の皮膚に基材を貼付することによって生体用電極を装着し、次いで、取付部にリード線のコネクタ部を接続した後に、カバーによってコネクタ部を取付部に固定する。
【先行技術文献】
【特許文献】
【０００３】
【特許文献１】特開２００８−６０９６号公報（第３−６頁、第１図）
【発明の概要】
【発明が解決しようとする課題】
【０００４】
ところが、上記の生体用電極には以下の問題点がある。すなわち、上記の生体用電極を含むこの種の電極は、測定に際して人体の皮膚に貼付することによって装着される。一方、この種の電極は、人体（例えば、腹部）のインピーダンスの分布を測定し、その測定値に基づいて腹部の断層画像を撮影する際にも用いられる。この場合、インピーダンスの分布を正確に測定して内部の状態を正確に表した良好な断層画像を撮影するためには、数多くの電極を等間隔に整列させた状態で腹部に装着する必要がある。しかしながら、１つずつ貼付するように構成されている従来のこの種の電極では、数多くの電極を貼付する作業が煩雑なことに加えて、等間隔に整列させた状態で各電極を装着するのも困難である。このため、従来の電極には、断層画像の撮影に用いたときの作業効率が低下すると共に、測定したインピーダンスの分布が不正確となって好ましい断層画像の撮影が困難となるおそれがあるという問題点が存在する。
【０００５】
本発明は、かかる問題点に鑑みてなされたものであり、断層画像を撮影する際の作業効率の向上、および良好な断層画像の撮影を実現し得る電極装置および断層画像撮影装置を提供することを主目的とする。
【課題を解決するための手段】
【０００６】
上記目的を達成すべく請求項１記載の電極装置は、撮影対象体の断層画像を撮影するときに当該撮影対象体についてのインピーダンスの測定に用いる電気信号を当該撮影対象体に対して入出力するための電極装置であって、前記撮影対象体に対して電気的に接続されて前記電気信号を入出力する複数の電極部と、前記各電極部を等間隔で整列した状態で連結する連結帯とを備えて、前記撮影対象体に巻き付けた状態で装着可能に構成されている。
【０００７】
また、請求項２記載の電極装置は、請求項１記載の電極装置において、前記連結帯は、前記各電極部が等間隔で整列している状態を維持しつつ当該間隔を変更可能に構成されている。
【０００８】
また、請求項３記載の電極装置は、請求項１または２記載の電極装置において、前記電極部は、前記連結帯に接続される基体部と、当該基体部から突出するようにして当該基体部に配設されると共にその突出長を変更可能に構成されて前記撮影対象体に接触させられて前記電気信号を入出力する導電性を有する電極本体とを備えて構成されている。
【０００９】
また、請求項４記載の電極装置は、請求項３記載の電極装置において、前記電極部は、前記電極本体の突出長を増加させるように当該電極本体を押し出す押し出し機構を備え、前記押し出し機構は、気体の供給によって前記電極本体を押し出し可能に構成されている。
【００１０】
また、請求項５記載の断層画像撮影装置は、請求項１から４のいずれかに記載の電極装置と、前記撮影対象体に装着された当該電極装置を介して入出力した電気信号に基づいて当該撮影対象体のインピーダンスを測定する測定部と、当該測定部によって測定された前記インピーダンスに基づいて前記撮影対象体の断層画像を撮影する画像撮影部とを備えている。
【発明の効果】
【００１１】
請求項１記載の電極装置および請求項５記載の断層画像撮影装置によれば、撮影対象体に対して電気的に接続される複数の電極部と、各電極部を等間隔で整列した状態で連結する連結帯とを備えて、撮影対象体に巻き付けた状態で装着可能に電極装置を構成したことにより、電極装置の両端部を繋げるだけの容易な操作で、電極部を等間隔に整列させた状態で短時間でかつ確実に撮影対象体に装着することができる。したがって、この電極装置および断層画像撮影装置によれば、断層画像を撮影する際の作業効率を十分に向上させることができると共に、撮影対象体の内部の状態を正確に表した良好な断層画像を確実に撮影することができる。
【００１２】
また、請求項２記載の電極装置および請求項５記載の断層画像撮影装置によれば、各電極部が等間隔で整列している状態を維持しつつその間隔を変更可能に連結帯を構成したことにより、各電極部が等間隔で整列している状態で電極装置の全体的な長さを撮影対象体の外周長に応じて変更することができる。このため、この電極装置および断層画像撮影装置によれば、撮影対象体の外周長の長短に拘わらず、電極部を等間隔に整列させた状態で短時間でかつ確実に撮影対象体に装着することができる。
【００１３】
また、請求項３記載の電極装置および請求項５記載の断層画像撮影装置によれば、連結帯に接続される基体部と、基体部から突出するように基体部に配設されると共に突出長を変更可能に構成された電極本体とを備えて電極部を構成したことにより、撮影対象体の形状に応じて電極本体の突出長を変更させることで、撮影対象体の形状の如何に拘わらず各電極本体を撮影対象体に密着（接触）させて電気的に確実に接続することができる。
【００１４】
また、請求項４記載の電極装置および請求項５記載の断層画像撮影装置によれば、気体の供給によって電極本体を押し出す押し出し機構を備えて電極部を構成したことにより、簡易な構成でありながら、電極本体の突出長を確実に変更させて各電極本体を撮影対象体に確実に接触させることができる。
【図面の簡単な説明】
【００１５】
【図１】断層画像撮影装置１の構成を示す構成図である。
【図２】電極装置３の構成を示す平面図である。
【図３】電極部２１ａ〜２１ｈの構成を示す断面図である
【図４】電極部２１ａ〜２１ｈの動作を説明する説明図である。
【図５】断層画像撮影装置１の使用方法を説明する説明図である。
【図６】電極装置３の装着状態を方法を説明する説明図である。
【図７】電極装置３Ａの構成を示す平面図である。
【発明を実施するための形態】
【００１６】
以下、本発明に係る電極装置および断層画像撮影装置の実施の形態について、添付図面を参照して説明する。
【００１７】
最初に、図１に示す断層画像撮影装置１の構成について説明する。断層画像撮影装置１は、本発明に係る回路板検査装置の一例であって、同図に示すように、本体部２および電極装置３を備えて、撮影対象体の一例としての撮影対象者（人体）１００の胴部１０１（図５，６も参照）の断層画像Ｇ（図５参照）を撮影可能に構成されている。本体部２は、図１に示すように、切り替え部１１、測定部１２、記録部１３、演算部１４、表示部１５、エアポンプ１６、操作部１７および制御部１８を備えて構成されている。
【００１８】
切り替え部１１は、図１に示すように、電極装置３の各電極部２１ａ〜２１ｈ（以下、区別しないときには「電極部２１」ともいう）に接続されている信号ケーブル５１を接続させる接続端子（図示せず）、および複数のスイッチ（図示せず）を備えて構成されている。この場合、切り替え部１１は、、制御部１８の制御に従って各スイッチをオン状態またはオフ状態に移行させることにより、各電極部２１に接続されている信号ケーブル５１と測定部１２との接断（接続および切断）を行って２つ（一対）の電極部２１，２１を測定部１２に接続する。
【００１９】
測定部１２は、制御部１８の制御に従い、電気信号としての電流信号（例えば、電流値が既知の定電流信号）Ｓｉを出力する。また、測定部１２は、制御部１８の制御に従って測定処理を実行する。この場合、測定部１２は、電極装置３の各電極部２１のうちの２つの電極部２１の間に電流信号Ｓｉが供給されたときの両電極部２１の間に生じる電圧の電圧値を検出して、検出した電圧値、電流信号Ｓｉの電流値、および検出した電圧信号と電流信号Ｓｉの位相差に基づいて両電極部２１間のインピーダンスＺを測定する。
【００２０】
記録部１３は、制御部１８の制御に従い、測定部１２によって測定されたインピーダンスＺを記録する。演算部１４は、記録部１３に記録されているインピーダンスＺを用いて断層画像Ｇを表示するための画像データＤを生成する。具体的には、演算部１４は、電極装置３の各電極部２１の中から２つの電極部２１を選択する全ての組み合わせについてのインピーダンスＺ（インピーダンスＺの分布状態）に基づき、逆問題解析等の手法を用いての各種の演算を行う演算処理を実行し、その演算結果に基づいて画像データＤを生成する。
【００２１】
表示部１５は、例えば液晶ディスプレイで構成されて、制御部１８の制御に従って表示処理を実行することにより、画像データＤに基づく断層画像Ｇや設定用画像等の各種の画像を表示する。エアポンプ１６は、制御部１８の制御に従って作動して、電極装置３の電極部２１（具体的には、後述する基体部３１）に接続されているエアチューブ５２（図１参照）を介して電極部２１に対してエア（気体の一例）を供給する。操作部１７は、各種の操作スイッチを備えて構成されて、各操作スイッチが操作されたときに操作信号を出力する。制御部１８は、操作部１７から出力される操作信号に従い、切り替え部１１、測定部１２、記録部１３、演算部１４、表示部１５およびエアポンプ１６を制御する。
【００２２】
電極装置３は、図２に示すように、複数（この例では、８個）の電極部２１ａ〜２１ｈ、および各電極部２１を連結する複数（例えば、電極部２１と同数であって、この例では８本）の連結帯２２ａ〜２２ｈ（以下、区別しないときには「連結帯２２」ともいう）を備えて構成されている。
【００２３】
電極部２１ａ〜２１ｈは、図３に示すように、基体部３１、電極本体３２および押し出し機構３３をそれぞれ備えて構成されている。基体部３１は、同図に示すように、一例として、直方体状（平面視矩形）で開口部３１ａを上面に有する箱状に形成されている。また、基体部３１は、連結帯２２を介して隣接する他の電極部２１の基体部３１に連結されている。電極本体３２は、導電性を有する材料（例えば、金属）によって半球状に形成されて、その先端部側（凸側）が基体部３１の開口部３１ａから突出する状態で基体部３１に収容（配設）されている。具体的には、電極本体３２は、その先端部側が基体部３１の開口部３１ａから突出し、かつその突出長を変更可能に基体部３１に収容されている。また、電極本体３２には、一端部が切り替え部１１に接続されている信号ケーブル５１の他端部が接続されている。この場合、電極本体３２は、撮影対象体に対する電極装置３の装着状態（使用状態）において、撮影対象体に接触して撮影対象体に対して電気的に接続される。
【００２４】
押し出し機構３３は、図３に示すように、基体部３１の底部と電極本体３２の間に収容されている。また、押し出し機構３３には、エアチューブ５２が接続されている。この場合、押し出し機構３３は、一例として、樹脂で蛇腹状に形成されて、図４に示すように、エアチューブ５２を介してエアポンプ１６から供給されるエアによって伸長（膨張）して、基体部３１の開口部３１ａ側に向けて電極本体３２を押し出す。また、図２に示すように、電極装置３の一端側（同図における左側）に位置する電極部２１ａには、後述する連結帯２２ｈに取り付けられているフック４２を引っ掛けるためのリング４１が取り付けられている。
【００２５】
連結帯２２ａ〜２２ｈは、伸縮性を有する材料（例えば、ゴムシートやゴムを用いた織布）によって互いに同じ長さに形成されている。また、各連結帯２２は、隣接する電極部２１の基体部３１にその両端部が接続されることにより、各電極部２１を等間隔で整列した状態で連結する。また、この電極装置３では、各連結帯２２が伸縮性を有しているため、電極装置３を全体的に伸縮させる（全体的な長さを変更する）ことが可能となっている。この場合、電極装置３を全体的に伸縮させるときには、各連結帯２２がそれぞれ同じ長さずつ伸縮する。つまり、各連結帯２２は、各電極部２１が等間隔で整列している状態を維持しつつその間隔を変更可能に構成されている。また、図２に示すように、電極装置３の他端側（同図における右側）に位置する連結帯２２ｈの端部には、電極部２１ａに取り付けられているリング４１に引っ掛けて電極装置３をループ状に繋げるためのフック４２が取り付けられている。
【００２６】
なお、連結帯２２の両端部と基体部３１とを接続する構成としては、両者を接着剤などによって繋ぐ構成を採用することもできるし、両者にフックやリングなどを設けて、これらを用いて両者の接続および切離しを自在とした構成（つまり、連結帯２２の付け替えが可能な構成）を採用することもできる。この場合、連結帯２２の付け替えが可能な構成を採用したときには、長めの各連結帯２２に付け替えたり、短めの各連結帯２２に付け替えたりすることで、各電極部２１が等間隔で整列している状態を維持しつつその間隔を変更することで、電極装置３の全体的な長さを長くしたり、短くしたりする（全体的な長さを変更する）ことができる。
【００２７】
次に、断層画像撮影装置１を用いて、撮影対象体としての撮影対象者１００の胴部１０１の断層画像Ｇを撮影する方法、およびその際の各構成要素の動作について、添付図面を参照して説明する。
【００２８】
まず、図５に示すように、電極装置３における各電極部２１の電極本体３２に他端部が接続されている信号ケーブル５１の一端部を本体部２における切り替え部１１の端子に接続し、かつ各電極部２１の押し出し機構３３に接続されているエアチューブ５２の一端部を本体部２のエアポンプ１６に接続する。次いで、撮影対象者１００の胴部１０１に電極装置３を装着する。具体的には、同図に示すように、電極装置３を胴部１０１の周囲に巻き付け、次いで、図６に示すように、連結帯２２ｈの端部に取り付けられているフック４２を電極部２１ａに取り付けられているリング４１に引っ掛けて、電極装置３をループ状に繋げる。以上により、電極装置３の装着が完了する。
【００２９】
この場合、この電極装置３では、各電極部２１が等間隔で整列された状態で伸縮性を有して同じ長さに形成された連結帯２２によって連結されている。このため、図６に示すように、各電極部２１が等間隔で整列された状態に維持されつつ、撮影対象者１００の胴部１０１の外周長（胴回り）に応じて各連結帯２２が伸縮する結果、等間隔に整列させた状態で各電極部２１を胴部１０１に装着することが可能となっている。また、この電極装置３では、フック４２をリング４１に引っ掛けるだけの容易な操作で、短時間でかつ確実に装着することが可能となっている。
【００３０】
続いて、操作部１７を操作してエアの供給を指示する。この際には、制御部１８が、操作部１７から出力された操作信号に従い、エアポンプ１６を作動させてエアの供給を開始させる。この場合、エアポンプ１６からのエアがエアチューブ５２を通って押し出し機構３３に供給されて、図４に示すように、押し出し機構３３が伸長し、これに伴って電極本体３２が基体部３１の開口部３１ａ側に向けて押し出される。このため、各電極本体３２が胴部１０１に密着して、電極本体３２が胴部１０１に対して電気的に確実に接続される。次いで、制御部１８は、押し出し機構３３に供給するエアの圧力（エアポンプ１６のサージタンク（図示せず）内の圧力）が所定値に達した時点でエアポンプ１６の作動を停止させる。
【００３１】
続いて、操作部１７を操作して、撮影処理の開始を指示する。この際に、制御部１８が、操作部１７から出力された操作信号に従って撮影処理を開始する。この撮影処理では、制御部１８は、測定部１２を制御して、電流信号Ｓｉの出力を開始させる。続いて、制御部１８は、切り替え部１１を制御して、各電極部２１の中から２つの電極部２１を選択し、その選択した２つの電極部２１に接続されている信号ケーブル５１と測定部１２とを接続させる。この際に、２つの電極部２１間に電流信号Ｓｉが供給される（電極部２１への電気信号の入力）。次いで、制御部１８は、測定部１２を制御して、測定処理を実行させる。この場合、測定部１２は、上記２つの電極部２１に対する電流信号Ｓｉの供給に伴って両電極部２１の間に生じる電圧の電圧値を検出して（電極部２１からの電気信号の出力）、検出した電圧値、電流信号Ｓｉの電流値、および検出した電圧信号と電流信号Ｓｉの位相差に基づいて両電極部２１間のインピーダンスＺを測定する。
【００３２】
続いて、制御部１８は、測定部１２によって測定されたインピーダンスＺを記録部１３に記録させる。次いで、制御部１８は、切り替え部１１を制御して、上記の選択した２つとは異なる組み合わせの２つの電極部２１に接続されている信号ケーブル５１と測定部１２とを接続させ、続いて、測定部１２に対する測定処理の実行指示、および記録部１３へのインピーダンスＺの記録を行う。以下、制御部１８は、各電極部２１の中から２つを選択する全ての組み合わせについて、上記各処理（切り替え部１１に対する制御、測定部１２に対する測定処理の実行指示、および記録部１３へのインピーダンスＺの記録）を行う。
【００３３】
次いで、制御部１８は、演算部１４を制御して画像データＤを生成させる。この際に、演算部１４は、各電極部２１の中から２つの電極部２１を選択する全ての組み合わせについての各インピーダンスＺを記録部１３から読み出して、各インピーダンスＺを用いて演算処理を実行する。この場合、演算部１４は、演算処理において、逆問題解析等の公知の手法を用いて各種の演算を行い、その演算結果に基づいて画像データＤを生成する。
【００３４】
続いて、制御部１８は、表示部１５に対して表示処理の実行を指示する。これに応じて、表示部１５が表示処理を実行することにより、図５に示すように、画像データＤに基づく断層画像Ｇが表示部１５に表示される。この場合、この電極装置３では、上記したように、等間隔に整列させた状態で各電極部２１を胴部１０１に装着させることが可能となっている。このため、断層画像撮影装置１では、撮影対象体の内部の状態を正確に表した良好な断層画像Ｇの撮影を実現することが可能となっている。
【００３５】
このように、この電極装置３および断層画像撮影装置１によれば、撮影対象体に対して電気的に接続される複数の電極部２１と、各電極部２１を等間隔で整列した状態で連結する連結帯２２とを備えて、撮影対象体に巻き付けた状態で装着可能に電極装置３を構成したことにより、電極装置３の両端部を繋げるだけの容易な操作で、電極部２１を等間隔に整列させた状態で短時間でかつ確実に撮影対象体に装着することができる。したがって、この電極装置３および断層画像撮影装置１によれば、断層画像Ｇを撮影する際の作業効率を十分に向上させることができると共に、撮影対象体の内部の状態を正確に表した良好な断層画像Ｇを確実に撮影することができる。
【００３６】
また、この電極装置３および断層画像撮影装置１によれば、各電極部２１が等間隔で整列している状態を維持しつつその間隔を変更可能に連結帯２２を構成したことにより、各電極部２１が等間隔で整列している状態で電極装置３の全体的な長さを撮影対象体の外周長に応じて変更することができる。このため、この電極装置３および断層画像撮影装置１によれば、撮影対象体の外周長の長短に拘わらず、電極部２１を等間隔に整列させた状態で短時間でかつ確実に撮影対象体に装着することができる。
【００３７】
また、この電極装置３および断層画像撮影装置１によれば、連結帯２２に接続される基体部３１と、基体部３１から突出するように基体部３１に配設されると共に突出長を変更可能に構成された電極本体３２とを備えて電極部２１を構成したことにより、撮影対象体の形状に応じて電極本体３２の突出長を変更させることで、撮影対象体の形状の如何に拘わらず各電極本体３２を撮影対象体に密着（接触）させて電気的に確実に接続することができる。
【００３８】
また、この電極装置３および断層画像撮影装置１によれば、エアの供給によって電極本体３２を押し出す押し出し機構３３を備えて電極部２１を構成したことにより、簡易な構成でありながら、電極本体３２の突出長を確実に変更させて各電極本体３２を撮影対象体に確実に接触させることができる。
【００３９】
なお、本発明は、上記の構成に限定されない。例えば、８個の電極部２１を備えた電極装置３を例に挙げて説明したが、電極部２１の数はこれに限定されず、任意の複数に規定することができる。また、伸縮性を有する連結帯２２を用いる例について上記したが、伸縮性を有していない連結帯２２を用いる構成を採用することもできる。また、電極部２１を構成する各構成要素の形状は上記した形状に限定されず、任意に変更することができる。
【００４０】
また、図７に示す電極装置３Ａを採用することもできる。この電極装置３Ａは、上記した電極装置３における複数の連結帯２２ａ〜２２ｈに代えて、１本の連結帯６１を備えて構成されている。なお、電極装置３と同一の機能を有する構成要素については、同一の符号を付して重複した説明を省略する。連結帯６１は、伸縮性を有する材料によって幅広に（少なくとも電極部２１の幅よりも幅広に）形成されている。また、連結帯６１には、長さ方向に沿って２本のライン６２，６２がその表面および裏面に設けられている。この場合、この電極装置３Ａでは、各電極部２１ａ〜２１ｈが等間隔で整列した状態で連結帯６１の一面側に固定されることにより、各電極部２１ａ〜２１ｈが連結帯６１によって連結されている。この電極装置３Ａでは、連結帯６１が幅広に形成されているため、撮影対象者１００の身長方向に対して連結帯６１が傾斜しないように巻き付けることができる。また、この電極装置３Ａでは、連結帯６１の表面および裏面に２本のライン６２，６２が設けられているため、胴部１０１に対する電極装置３Ａの巻き付けの際に、連結帯６１の両端部においてライン６２，６２が連続するように位置合わせすることで、電極装置３Ａが胴部１０１に螺旋状に装着される事態を確実に防止して、電極部２１を等間隔に整列させた状態で撮影対象体に装着することができる。
【００４１】
また、エアの供給によって撮影対象体に向けて各電極部２１の電極本体３２を伸長させる押し出し機構３３を備えた例について上記したが、エアに代えて、他の気体を用いる（供給する）構成を採用することもできる。また、押し出し機構３３に代えて、モーター等の動力によって電極本体３２を押し出す押し出し機構を備えた構成を採用することもできる。また、コイルばね等の付勢手段によって電極本体３２の突出長を変更する構成を採用することもできる。また、リング４１およびフック４２を用いて電極装置３をループ状に繋げる構成例について上記したが、面ファスナー（フック・ループファスナー）を用いる構成を採用することもできる。また、撮影対象体としての撮影対象者１００の胴部１０１にの断層画像Ｇを撮影する際に電極装置３，３Ａおよび断層画像撮影装置１を用いる例について上記したが、撮影対象体には、撮影対象者１００の他の部位（例えば、胸部等）、人以外の生物、および生物以外の物（無生物）が含まれ、これらを撮影する際においても上記と同様の効果を実現することができる。
【符号の説明】
【００４２】
１  断層画像撮影装置
３，３Ａ  電極装置
２１ａ〜２１ｈ  電極部
２２ａ〜２２ｈ，６１  連結帯
３１  基体部
３２  電極本体
３３  押し出し機構
１００  撮影対象者
１０１  胴部
Ｇ  断層画像
Ｓｉ  電流信号
Ｚ  インピーダンス
【図１】
2010214045.tif 000003
【図２】
2010214045.tif 000004
【図３】
2010214045.tif 000005
【図４】
2010214045.tif 000006
【図５】
2010214045.tif 000007
【図６】
2010214045.tif 000008
【図７】
2010214045.tif 000009